(57)【要約】      （修正有）【課題】断熱効果を備えているが、外側へ触れることで内容物の熱い冷たいが分かる、構造簡単で製造コストの安価な二層容器を提供する。【解決手段】本体１１を含み、本体１１が第１部分１１１を備え、第１部分１１１が開口部１１５と底部１１４を備え、第１部分１１１の上端箇所を外側に折り返し延伸して第２部分１１２を形成し、第２部分１１２が第１部分１１１の底部に相対する上方に延伸された自由端を備え、第１部分１１１と第２部分１１２の両者間に第１空間１１３を形成する。【選択図】図４
0003156503.tif 000002
【実用新案登録請求の範囲】
【請求項１】
二層容器であって、本体を含み、本体が第１部分を備え、且つ第１部分の上端箇所を外側に向かって折り返し延伸して第２部分を形成し、前記第１部分が底部と開口部を備え、前記第２部分が前記第１部分の底部に相対する上方に延伸された自由端を備え、前記第１部分と前記第２部分の両者間に第１空間を形成したことを特徴とする、二層容器。
【請求項２】
前記開口部と前記底部が相互に連通され、共同で収容空間を形成したことを特徴とする、請求項１に記載の二層容器。
【請求項３】
前記第１部分の外径が前記第２部分の内径より小さいことを特徴とする、請求項１に記載の二層容器。
【請求項４】
前記第２部分の自由端が前記第１部分の外部の二分の一の箇所まで延伸されたことを特徴とする、請求項１に記載の二層容器。
【請求項５】
前記第２部分の自由端が前記第１部分の外部の三分の二の箇所まで延伸されたことを特徴とする、請求項１に記載の二層容器。
【請求項６】
前記第２部分の自由端が前記第１部分の外部の四分の三の箇所まで延伸されたことを特徴とする、請求項１に記載の二層容器。
【請求項７】
前記第１部分に取っ手を設けたことを特徴とする、請求項１に記載の二層容器。
【請求項８】
前記第２部分の外部に取っ手を設けたことを特徴とする、請求項１に記載の二層容器。
【請求項９】
前記第２部分の自由端が、前記第１部分の外部の二分の一の箇所まで、または前記第１部分の外部の三分の二の箇所まで、或いは前記第１部分の外部の四分の三の箇所まで、のいずれかを選択して延伸されたことを特徴とする、請求項１に記載の二層容器。
【請求項１０】
前記第１部分が前記第２部分と相対する箇所の壁面が波型状であることを特徴とする、請求項１に記載の二層容器。
【請求項１１】
前記第１部分が前記第２部分と相対する箇所の壁面が弧面状であることを特徴とする、請求項１に記載の二層容器。
【請求項１２】
前記本体がセラミック材質であることを特徴とする、請求項１に記載の二層容器。
【請求項１３】
前記本体がステンレス材質であることを特徴とする、請求項１に記載の二層容器。
【請求項１４】
前記本体がガラス材質であることを特徴とする、請求項１に記載の二層容器。
【考案の詳細な説明】
【技術分野】
【０００１】
本考案は二層容器に関し、とくに断熱性を備え、且つ製造時に材料及び製造コストを節約できる二層容器に関する。
【背景技術】
【０００２】
現在市販されている二層構造を備えた容器或はポット等の二層容器は、ステンレスまたはガラス材質である。
【０００３】
図１に従来の技術による二層容器の一例であるカップの構造を示す。図面に示すように、二層容器Ａはその内壁面Ａ１と外壁面Ａ２の間に間隙空間Ａ３を備えている。この二層容器Ａは二層構造のカップ或はポットとして保温性と断熱性の効果を持たせるため、間隙空間Ａ３を真空にしてある。この間隙空間Ａ３は真空の状態下で内部にいかなる熱伝導媒体もないため、内部の熱が外部に伝導されず、保温効果を達することができるものである。
【０００４】
図２ａ、図２ｂは従来技術の他の構成の二層容器を示す。これらの図面に示すように、図２ａに示したものは、二層容器Ｂはその内壁面Ｂ１と外壁面Ｂ２との間に間隙空間Ｂ３を備えているが、底部Ｂ４は封鎖されていない態様を採用している。外壁面Ｂ２が延伸されて該二層容器Ｂの底部Ｂ４に揃えてカットされており、図２ｂに示したものも、二層容器Ｃその内壁面Ｃ１と外壁面Ｃ２との間に間隙空間Ｃ３を備えているが、底部Ｃ４は封鎖されていない態様を採用している。外壁面Ｃ２が延伸されて該二層容器Ｃの底部Ｃ４を超過している。これらの二層容器Ａ、Ｂ、Ｃはそれぞれ二層構造を備えているが、手で触れても内部へ入れた冷たい／熱い液体の温度が外壁面Ａ２、Ｂ２、Ｃ２まで伝達されにくいことから、分かり難い上に、外壁面Ａ２、Ｂ２、Ｃ２が内壁面Ａ１、Ｂ１、Ｃ１の外側への延伸を制限しており、且つ両者間が間隙空間Ａ３、Ｂ３、Ｃ３で隔てられているため、各二層容器Ａ、Ｂ、Ｃの構造の内部容積は一般の同じ外径の一層の容器と比べてずっと小さいことになる。
【０００５】
上述した従来の二層容器は、ステンレスを採用した場合、引抜方式でカップ或はポットを二層の構造に製造する。金属引抜プロセスは中空のシームレス管材及び容器状材料に使用する製造方法である。
【０００６】
また、二層容器にガラス材質を採用して製造する場合、ガラス吹き方式を採用して二層構造を製造し、その後さらに二層の容器底部を密封して、とくに二層容器Ａを製造する。また、ステンレス材質またはガラス材質を問わず、二層構造の間隙空間中に熱伝導媒質がないよう確保し、断熱と保温の効果を達するため、どちらも真空処理を施す必要がある。真空処理は複雑な製造プロセスであり、製造コストが大幅に高くなる。真空のステップで完全に真空にされていないと、保温と断熱の効果を達することができないため、前記の従来技術の二層構造は工程数が多く製造コストが一層の容器に比べて高いことになる。
【０００７】
この他、従来の二層容器は容器全体が断熱構造となっていることから、二層容器をカップとして使用し、内部に液体を入れたとき、視覚で二層容器内部が冷たい液体か熱い液体かを確認することはできず、手で直接液体に触れてやっと二層容器内部の液体が冷たい液体か熱い液体かを知ることができることになる。しかし、この方式は火傷を引き起す恐れがある上に、手で直接液体に触れることは不衛生であるという問題があった。
【０００８】
また、二層構造の容器を製造するために、その内部の容量は縮減することになり、同じ外径の一層の容器と比べ、二層構造であるために、その内容量が一層の容器の内容量に比べて少なくならざるを得ないことになる。
【０００９】
従って、上記した従来公知の二層容器の各問題点をまとめると次のようになる。
１、  製造コストが高い。
２、  内容物の温度が外部から分かりにくい。
３、  内部の容積が小さい。
【００１０】
このため、上記した従来公知の二層容器の問題点をいかに解決するかが、本考案の考案者及び関連産業に従事する企業の課題であった。
【考案の概要】
【考案が解決しようとする課題】
【００１１】
本考案の主な目的は、上記した従来公知の二層容器の問題点を解決した新規な二層容器を提供することにある。
【課題を解決するための手段】
【００１２】
上述の目的を達するため、本考案の二層容器は、本体を含み、前記本体が第１部分を備え、且つ前記第１部分の上端箇所を外側に向かって折り返し延伸して第２部分を形成し、前記第１部分が底部と開口部を備え、前記第２部分が前記第１部分の底部に相対する上方に延伸された自由端を備え、前記第１部分と前記第２部分の両者間に第１空間を形成したことで。課題を解決したものである。
【考案の効果】
【００１３】
二層容器の上側を二層壁面の設計にすることで、材料及び製造コストを節約できるだけでなく、使用者が容器中に冷水または熱水を入れたとき、本体の下部側に触れることで内容物の温度がわかり、直接内容物（液体）に手を触れることによって、手指が濡れたり、手指を火傷したりすることがないようにすることができ、同時に前記第１空間を対外的に開放して設けることで対流を発生し、第２部分に断熱性の効果を達させることができるものである。
【００１４】
即ち、本考案の二層容器は従来技術の二層容器と比較して次のような利点を備えている。
１、  製造が簡単である。
２、  コストを節約できる。
３、  内容積が比較的大きい。
４、  内容物の温度を第１部分に触れることで知ることができる。
【図面の簡単な説明】
【００１５】
【図１】従来技術の二層容器の断面図である。
【図２ａ】従来技術の他の二層容器の断面図である。
【図２ｂ】従来技術の他の二層容器の断面図である。
【図３】本考案の実施例の斜視図である。
【図４】図３に示した本考案の実施例の断面図である。
【図５】本考案の他の実施例の断面図である。
【図６】本考案のさらに他の実施例の断面図である。
【図７】本考案のさらに他の実施例の断面図である。
【図８】本考案のさらに他の実施例の断面図である。
【図９】本考案のさらに他の実施例の断面図である。
【図１０】本考案のさらに他の実施例の断面図である。
【図１１】本考案のさらに他の実施例の断面図である。
【図１２】本考案のさらに他の実施例の断面図である。
【図１３】本考案のさらに他の実施例の断面図である。
【図１４】本考案のさらに他の実施例の断面図である。
【図１５】本考案のさらに他の実施例の断面図である。
【図１６】本考案のさらに他の実施例の断面図である。
【考案を実施するための形態】
【００１６】
本考案の上述の目的及びその構造と機能上の特性を達成するため、ガラス材質を採用し、本件考案をカップに実施した例について、添付の図面に基いて以下に説明する。
【実施例１】
【００１７】
図３と図４に本考案の実施例の立体図と断面図をそれぞれ示す。これらの図面に示すように、二層容器１は本体１１を含み、該本体１１が第１部分１１１、第２部分１１２、第１空間１１３を備えている。
【００１８】
第１部分１１１は底部１１４、開口部１１５を備え、且つ該開口部１１５と該底部１１４は相互に連通しており、共同で収容空間１１６を形成し、該収容空間１１６は液体を入れるために用いることができる。
【００１９】
第２部分１１２は第１部分１１１の上端箇所を外側に折り返し延伸して形成される。第２部分１１２は第１部分１１１の底部１１４に相対する上方に延伸された自由端１１２１を備え、第２部分の自由端１１２１は本体１１の二分の一の箇所まで延伸している。
【００２０】
第１空間１１３は第１部分１１１と第２部分１１２の間に位置し、且つ第１部分１１１の外径は第２部分１１２の内径より小さい。
【実施例２】
【００２１】
図５は本考案の他の実施例を示す。図面によれば、二層容器２は本体１２を含み、該本体１２が第１部分１２１、第２部分１２２、第１空間１２３を備えている。
【００２２】
前記第２部分１２２は前記第１部分１２１の上端箇所を外側に折り返し延伸して形成される。前記第２部分１２２は前記第１部分１２１の底部１２４に相対する上方に延伸された自由端１２２１を備え、前記第２部分１２２の自由端１２２１は前記本体１２の外部の三分の二の箇所まで延伸している。
【００２３】
前記第１空間１２３は前記第１部分１２１と前記第２部分１２２の間に位置し、且つ第１部分１２１の外径は第２部分１２２の内径より小さい。尚、指示記号１２６は収容空間である。
【実施例３】
【００２４】
図６は本考案の他の実施例を示す。図面によれば、二層容器３は本体１３を含み、該本体１３が第１部分１３１、第２部分１３２、第１空間１３３を備えている。
【００２５】
第２部分１３２は第１部分１３１の上端箇所を外側に折り返し延伸して形成される。第２部分１３２は第１部分１３１の底部１３４に相対する上方に延伸された自由端１３２１を備え、第２部分の自由端１３２１は本体１３の外部の四分の三の箇所まで延伸している。
【００２６】
第１空間１３３は第１部分１３１と第２部分１３２の間に位置し、且つ第１部分１３１の外径は第２部分１３２の内径より小さい。尚、指示記号１３６は収容空間である。
【実施例４】
【００２７】
図７に本考案の他の実施例の断面図を示す。図面によれば、二層容器４の第２部分１４２には少なくとも１つの取っ手１４７が設置されている。尚、指示記号１４１は第１部分である。
【実施例５】
【００２８】
図８に本考案の他の実施例の断面図を示す。図面によれば、二層容器５の第１部分１５１には外部に少なくとも１つの取っ手１５７が設置されている。尚、指示記号１５２は第２部分である。
【実施例６】
【００２９】
図９に本考案の他の実施例の断面図を示す。図面によれば、二層容器６の第１部分１６１と第２部分１６２のそれぞれの外部には、少なくとも１つの取っ手１６７が設置されている。
【実施例７】
【００３０】
図１０は本考案のさらに他の実施例の断面図を示す。図面によれば、二層容器７の第１部分１７１の壁面１７１１と第２部分１７２の壁面１７２２の両者が相互に対応する箇所のうち第１部分１７１の壁面１７１１が波型状を成している。
【実施例８】
【００３１】
図１１は、本考案の他の実施例を示し、二層容器８の第１部分１８１の壁面１８１１と第２部分１８２の壁面１８２２の両者が相互に対応する箇所のうち第１部分１８１の壁面１８１１は弧面状を成している。この設計は第１部分１８１と第２部分１８２の間の距離を増加でき、つまり第１空間１８３の容積を増大できるため、第１部分１８１と外部の対流の効率を高めると同時に、第２部分１８２の断熱効果をさらに向上することができる。
【００３２】
この実施例に拠れば、二層容器８の第１空間１８３は第２部分１８２と第１部分１８１の間に介在し、第１空間１８３は開放側１８１３を備え、二層容器８の外部と連通している。二層容器８内部の収容空間１８６に冷たいまたは熱い液体を入れたとき、第１部分１８１の壁面１８１１が内部液体の温度を外部に拡散し、且つ第１部分１８１と第２部分１８２の間に第１空間１８３があり、且つ第１空間１８３が第１部分１８１の外部に拡散する温度（冷たいまたは熱い）を阻隔するため、第１部分１８１の温度が第２部分１８２まで伝導されず、第１空間１８３の開放側１８１３の箇所から外部に向かって対流で拡散される。
【００３３】
この実施例の特徴は、第１部分１８１に軽く触れるだけで収容空間１８６内に入れた液体が冷たい液体であるのか、熱い液体であるのかを知ることができ、より高い安全性を備えており、液体に触れて手に火傷をすることがない。また、二層容器８に冷たい液体を入れたとき、第１部分１８１の表面に水滴が凝結するため、使用者が該本体の第２部分１８２を持てば手を濡らすこともなく、また第１部分１８１が濡れることで滑り、二層容器８を落として破損させるといった状況の発生を回避することができる。
【実施例９】
【００３４】
さらに、図１２乃至図１６は本考案のさらに他の実施例を示す。図面によれば図１２乃至図１６のものは、本体の形状と第２部分の長さが異なるものを示しているが、これらの実施例のものは各二層容器９、１０、２０、２１、２２の第２部分１９２、１０１２、１２０２、１３０２、１４０２が第１部分１９１、１０１１、１２０１、１３０１、１４０１全体を完全に被覆していないためにその形状をさまざまな態様のものとすることが可能である。しかしながら、これらは本考案の実施例を示したもので、本考案の主要な態様を限定するものではない。
【００３５】
また、他の実施例もそうであるが、各第１部分１９１、１０１１、１２０１、１３０１、１４０１の形状や大きさを変えることにより、液体の内部容量を増加させることができる。
【００３６】
本考案の二層構造は従来の二層容器の構造と比べると、従来の二層容器は全体を被覆した構造を採用しているために、内層が外層に制限されて内部に向かって縮減されてしまうが、本考案の第１部分は制限を受けず、外側に向かって拡大し、内部容量を増加することができるため、本考案と従来品を同じ外径で比較すると、本案のほうが従来品より大きい内部容量を有することができる。
【００３７】
本考案の二層容器はガラス材質またはステンレス材質、或いはセラミック材質等で製造した二層構造を採用でき、製造上材料を節約できると共に、製造が比較的簡易である。使用上は全体を二層構造としていないが、二層構造の火傷と手が濡れることを防止する効果を達することができるため、従来技術の二層容器と比較して次のような利点を備えている。
１、  製造が簡単である。
２、  コストを節約できる。
３、  内容積が比較的大きい。
【００３８】
以上は単に本考案の最良の実施例であり、本考案を限定するものではなく、本考案の構想に基づいた変化が、例えば形状や配置形態の変化など本考案の要旨の範囲内から逸脱せず、各種変化や修飾、応用が同等の効果を発生する場合、本考案の権利範囲内に含まれることをここで述べておく。
【００３９】
上述をまとめると、本考案の二層容器は使用時にその効果と目的を確実に達成することができるため、実用性に優れた創作である。
【産業上の利用可能性】
【００４０】
以上本発明によれば、簡単な構成を有し、製造コストも安価である上に、断熱性に優れていることから保温効果に優れ、さらに内容物の温度を外側から手で持つだけでそれが熱いものか冷たいものかを知ることができる、とくに液体を入れる容器用の容器として好適に用いられるものである。
【符号の説明】
【００４１】
１、２、３、４、５、６、７、８、９、１０、２０、２１、２２  二層容器
１１、１２、１３  本体
１１１、１２１、１３１、１４１、１５１、１６１、１７１、１８１、１９１、１０１１、１２０１、１３０１、１４０１  第１部分
１１２、１２２、１３２、１４２、１５２、１６２、１７２、１８２、１９２、１０１２、１２０２、１３０２、１４０２  第２部分
１３２１  自由端
１７２２、１８２２  壁面
１１３、１２３、１８３  第１空間
１８１３  開放側
１１４、１２４、１３４  底部
１１５  開口部
１１６、１２６、１３６、１８６  収容空間
１４７、１５７、１６７  取っ手
Ａ、Ｂ、Ｃ  二層容器
Ａ1、Ｂ１、Ｃ１  内壁面
Ａ２、Ｂ２、Ｃ２  外壁面
Ａ３、Ｂ３、Ｃ３  間隙空間
Ｂ４、Ｃ４  底部
【図１】
0003156503.tif 000003
【図２ａ】
0003156503.tif 000004
【図２ｂ】
0003156503.tif 000005
【図３】
0003156503.tif 000006
【図４】
0003156503.tif 000007
【図５】
0003156503.tif 000008
【図６】
0003156503.tif 000009
【図７】
0003156503.tif 000010
【図８】
0003156503.tif 000011
【図９】
0003156503.tif 000012
【図１０】
0003156503.tif 000013
【図１１】
0003156503.tif 000014
【図１２】
0003156503.tif 000015
【図１３】
0003156503.tif 000016
【図１４】
0003156503.tif 000017
【図１５】
0003156503.tif 000018
【図１６】
0003156503.tif 000019